(57)【要約】【課題】直列接続された複数の二次電池を構成する個々の二次電池の状態を検出すること。【解決手段】二次電池群１４が有する１または複数の二次電池に対して１つずつ設けられ、これら１または複数の二次電池のそれぞれの端子電圧を測定する測定手段（センサ部１５−１〜１５−ｎ）と、測定手段によって測定された端子電圧の値に基づいて、１または複数の二次電池のそれぞれの状態を判定する判定手段（演算部１３）と、を有し、測定タイミング送信手段（演算部１３）は、測定を実行する全ての測定手段が同じタイミングで測定を行うように、測定手段に対して測定開始のタイミングを通知するとともに、各測定手段によって得られた端子電圧の値に基づいて１または複数の二次電池のそれぞれの状態を判定する。【選択図】図１
2015068783.tif 000002
【特許請求の範囲】
【請求項１】
複数の二次電池が直列接続されて構成される二次電池群を系統電力からの交流電力を直流電力に変換して充電し、前記二次電池群に充電された直流電力を交流電力に変換して前記系統電力に放電する電力貯蔵装置において、
前記二次電池群が有する１または複数の二次電池に対して１つずつ設けられ、これら１または複数の二次電池のそれぞれの端子電圧を測定する測定手段と、
前記測定手段へ測定タイミングを送信する測定タイミング送信手段と、
前記測定手段によって測定された端子電圧の値に基づいて、前記１または複数の二次電池のそれぞれの状態を判定する判定手段と、を有し、
前記測定タイミング送信手段は、測定を実行する全ての測定手段が同じタイミングで測定を行うように、測定手段に対して測定開始のタイミングを通知するとともに、各測定手段によって得られた端子電圧の値に基づいて前記１または複数の二次電池のそれぞれの状態を判定することを特徴とする電力貯蔵装置。
【請求項２】
前記判定手段は、充電後において前記測定手段によって測定される端子電圧の経時変化に基づいて前記１または複数の二次電池の状態をそれぞれ判定することを特徴とする請求項１に記載の電力貯蔵装置。
【請求項３】
前記判定手段は、前記二次電池群を、充電可能容量の８５％以上充電した後に、前記端子電圧の経時変化に基づいて前記１または複数の二次電池の状態をそれぞれ判定することを特徴とする請求項２に記載の電力貯蔵装置。
【請求項４】
前記判定手段は、前記二次電池群の充放電履歴を参照し、測定開始直前の一定期間における充電量が放電量を所定量上回る場合に、前記端子電圧の経時変化に基づいて前記１または複数の二次電池の状態をそれぞれ判定することを特徴とする請求項２または３に記載の電力貯蔵装置。
【請求項５】
前記系統電力の交流電力を直流電力に変換して前記二次電池群を充電するとともに、前記二次電池群の直流電力を交流電力に変換して前記系統電力に放電する電力変換手段と、
前記電力変換手段と前記二次電池群との間に配置され、これらの間における電力の授受を断続するための断続手段と、を有し、
前記判定手段は、前記測定手段によって前記１または複数の二次電池を測定する際には、前記断続手段を遮断することで前記電力変換手段と前記二次電池群との間における電力の授受を停止する、
ことを特徴とする請求項１乃至４のいずれか１項に記載の電力貯蔵装置。
【発明の詳細な説明】
【技術分野】
【０００１】
本発明は、電力貯蔵装置に関するものである。
【背景技術】
【０００２】
特許文献１には、系統電力を直流電力に変換して鉛蓄電池を充電し、鉛蓄電池に蓄積された電力を交流電力に変換して負荷に供給する電力貯蔵装置に関する技術が開示されている。
【先行技術文献】
【特許文献】
【０００３】
【特許文献１】特開２００７−２１５２６２号公報
【発明の概要】
【発明が解決しようとする課題】
【０００４】
ところで、特許文献１に開示された技術では、鉛蓄電池の構成の詳細については開示されていないが、このような目的のために使用される鉛蓄電池としては、複数の鉛蓄電池が直列接続されて構成されるものが少なくない。このように直列接続された鉛蓄電池を使用する場合、全ての鉛蓄電池が同時に劣化または故障するのではなく、劣化または故障の進行にばらつきが生じる場合があった。より具体的には、図１９の左側に示すように、１０個の鉛蓄電池１４−１〜１４−１０が直列接続されている場合において、図１９の中央に示すように鉛蓄電池１４−３のみが故障してしまう場合がある。あるいは、図１９の右側に示すように鉛蓄電池１４−７の劣化が最も早く進み、鉛蓄電池１４−４がその次に劣化が進む場合がある。しかしながら、特許文献１に開示された技術では、個々の鉛蓄電池の状態を監視することができない。
【０００５】
本発明は、以上の点に鑑みてなされたものであり、直列接続された複数の二次電池を構成する個々の二次電池の状態を検出することが可能な電力貯蔵装置を提供することを目的としている。
【課題を解決するための手段】
【０００６】
上記課題を解決するために、本発明は、複数の二次電池が直列接続されて構成される二次電池群を系統電力からの交流電力を直流電力に変換して充電し、前記二次電池群に充電された直流電力を交流電力に変換して前記系統電力に放電する電力貯蔵装置において、前記二次電池群が有する１または複数の二次電池に対して１つずつ設けられ、これら１または複数の二次電池のそれぞれの端子電圧を測定する測定手段と、前記測定手段へ測定タイミングを送信する測定タイミング送信手段と、前記測定手段によって測定された端子電圧の値に基づいて、前記１または複数の二次電池のそれぞれの状態を判定する判定手段と、を有し、前記測定タイミング送信手段は、測定を実行する全ての測定手段が同じタイミングで測定を行うように、測定手段に対して測定開始のタイミングを通知するとともに、各測定手段によって得られた端子電圧の値に基づいて前記１または複数の二次電池のそれぞれの状態を判定することを特徴とする。
このような構成によれば、直列接続された複数の二次電池を構成する個々の二次電池の状態を検出することが可能となる。
【０００７】
また、本発明は、前記判定手段は、充電後において前記測定手段によって測定される端子電圧の経時変化に基づいて前記１または複数の二次電池の状態をそれぞれ判定することを特徴とする。
このような構成によれば、直前の放電による測定に対する影響を軽減することで、二次電池の状態を正確に判定することができる。
【０００８】
また、本発明は、前記判定手段は、前記二次電池群を、充電可能容量の８５％以上充電した後に、前記端子電圧の経時変化に基づいて前記１または複数の二次電池の状態をそれぞれ判定することを特徴とする。
このような構成によれば、直前の放電による測定に対する影響をより確実に軽減することで、二次電池の状態を正確に判定することができる。また、過充電への耐性が高い鉛蓄電池の場合には、ＳＯＣ＝１００％相当の充電量を超えて、さらに継続して充電を行うことで、二次電池間のＳＯＣの不均衡を是正することができるとともに、鉛蓄電池の極板上の硫酸鉛を減少させ、現状の電池の劣化因子を低減し、電池における回復不能な劣化状態をより正確に推定することが可能になる。
【０００９】
また、本発明は、前記判定手段は、前記二次電池群の充放電履歴を参照し、測定開始直前の一定期間における充電量が放電量を所定量上回る場合に、前記端子電圧の経時変化に基づいて前記１または複数の二次電池の状態をそれぞれ判定することを特徴とする。
このような構成によれば、直前の放電による測定に対する影響をより軽減することで、二次電池の状態を正確に判定することができる。
【００１０】
また、本発明は、前記系統電力の交流電力を直流電力に変換して前記二次電池群を充電するとともに、前記二次電池群の直流電力を交流電力に変換して前記系統電力に放電する電力変換手段と、前記電力変換手段と前記二次電池群との間に配置され、これらの間における電力の授受を断続するための断続手段と、を有し、前記判定手段は、前記測定手段によって前記１または複数の二次電池を測定する際には、前記断続手段を遮断することで前記電力変換手段と前記二次電池群との間における電力の授受を停止する、ことを特徴とする。
このような構成によれば、充電を停止するタイミングを正確に制御することができることから、二次電池の状態を正確に判定することができる。
【発明の効果】
【００１１】
本発明によれば、直列接続された複数の二次電池を構成する個々の二次電池の状態を検出することが可能な電力貯蔵装置を提供することができる。
【図面の簡単な説明】
【００１２】
【図１】本発明の第１実施形態に係る電力貯蔵装置の構成例を示す図である。
【図２】図１に示す制御部の構成例を示す図である。
【図３】図１に示す演算部の構成例を示す図である。
【図４】図１に示すセンサ部の構成例を示す図である。
【図５】ＵＰＳと本実施形態の動作の差異を説明するための図である。
【図６】ＵＰＳと本実施形態の動作の差異を説明するための図である。
【図７】ＯＣＶの変化を説明するための図である。
【図８】ＯＣＶの変化を説明するための図である。
【図９】充放電履歴とＯＣＶの変化の関係を説明するための図である。
【図１０】充電とＯＣＶの変化の関係および放電とＯＣＶの変化の関係を説明するための図である。
【図１１】直前に充電と放電がなされた場合のＯＣＶの変化を説明するための図である。
【図１２】複数の二次電池のＯＣＶの変化を説明するための図である。
【図１３】二次電池の種類によるＳＯＣと電池電圧の関係を示す図である。
【図１４】第１実施形態の動作を説明するための図である。
【図１５】第１実施形態の制御部の動作を説明するためのフローチャートである。
【図１６】第１実施形態の演算部の動作を説明するためのフローチャートである。
【図１７】第１実施形態のセンサ部の動作を説明するためのフローチャートである。
【図１８】本発明の第２実施形態に係る電力貯蔵装置の構成例を示す図である。
【図１９】複数の二次電池が直列接続された場合の劣化の進行状況を示す図である。
【発明を実施するための形態】
【００１３】
次に、本発明の実施形態について説明する。
【００１４】
（Ａ）本発明の第１実施形態の構成の説明
図１は、本発明の第１実施形態に係る電力貯蔵装置の構成例を示す図である。この図に示すように、電力貯蔵装置１０は、電力変換部１１、制御部１２、演算部１３、および、二次電池群１４を有し、系統電力３０および負荷５０に接続される。電力貯蔵装置１０は、系統電力３０から供給される交流電力を直流電力に変換して二次電池群１４を充電し、二次電池群１４に蓄積された直流電力を必要に応じて交流電力に変換して負荷５０に供給する。これにより、例えば、負荷５０の消費電力が少なく、また、電力料金が安価な夜間に二次電池群１４を充電し、消費電力が多く、また、電力料金が高価な昼間に二次電池群１４に蓄積された電力を交流電力に変換して負荷５０に供給することにより、電力消費を平準化するとともに、電力料金を抑制することきができる。また、電力消費のピークを抑制することにより、電力消費を契約電力内に抑えることができる。
【００１５】
ここで、電力変換部１１は、例えば、双方向インバータによって構成され、制御部１２の制御に応じて、系統電力３０から供給される交流電力を直流電力に変換して二次電池群１４を充電するとともに、二次電池群１４に蓄積されている直流電力を系統電力３０と同じ電圧、周波数、および、位相の交流電力に変換して負荷５０に供給する。
【００１６】
制御部１２は、図２に示すように、ＣＰＵ（Central Processing Unit）１２１、ＲＯＭ（Read Only Memory）１２２、ＲＡＭ（Random Access Memory）１２３、計時部１２４、通信部１２５、提示部１２６、および、バス１２７を主要な構成要素とし、ＲＯＭ１２２に格納されているプログラムに基づいて装置の各部を制御する。ここで、ＣＰＵ１２１は、ＲＯＭ１２２に格納されているプログラムを実行することにより、装置の各部を制御する。ＲＯＭ１２２は、ＣＰＵ１２１が実行するプログラムやデータを格納している。ＲＡＭ１２３は、ＣＰＵ１２１が実行するプログラムやデータを一時的に格納する。計時部１２４は、月、日、曜日、および、時刻等の情報を生成して出力する。通信部１２５は、電力変換部１１および演算部１３との間で情報を授受する。提示部１２６は、例えば、液晶ディスプレイ等によって構成され、様々な情報を視認可能な情報に変換して使用者（または、管理者もしくは運用者（以下、単に「使用者」と称する））に提示する。バス１２７は、ＣＰＵ１２１、ＲＯＭ１２２、ＲＡＭ１２３、計時部１２４、通信部１２５、および、提示部１２６を相互に接続し、これらの間でデータの授受を可能とする。
【００１７】
演算部１３は、二次電池群１４に設けられたセンサ部１５−１〜１５−ｎと通信線１６によって接続され、制御部１２から測定の開始が指示された場合には、センサ部１５−１〜１５−ｎに対して測定開始信号を送信するとともに、測定開始信号によって測定されたデータを受信し、二次電池群１４を構成する各二次電池１４−１〜１４−ｎの状態を演算処理によって求め、制御部１２に通知する。図３は、演算部１３の構成例を示している。この図３に示すように、演算部１３は、ＣＰＵ１３１、ＲＯＭ１３２、ＲＡＭ１３３、計時部１３４、通信部１３５、および、バス１３６を有している。ＣＰＵ１３１、ＲＯＭ１３２、ＲＡＭ１３３は、前述したＣＰＵ１２１、ＲＯＭ１２２、および、ＲＡＭ１２３と同様の機能を有する。計時部１３４は、時刻情報を生成して出力する。通信部１３５は、通信線１６を介してセンサ部１５−１〜１５−ｎと接続されるとともに、制御部１２と接続され、これらとの間で情報を授受する。
【００１８】
二次電池群１４は、複数の二次電池１４−１〜１４−ｎが直列接続されて構成される。なお、二次電池１４−１〜１４−ｎは、例えば、鉛蓄電池、リチウムイオン電池、ニッケルカドミウム電池、ニッケル水素電池、または、ＮＡＳ（ナトリウム・硫黄）電池等によって構成される。なお、二次電池１４−１〜１４−ｎのそれぞれについては単一の二次電池によって構成されてもよいし、複数の二次電池が並列接続されて構成されるようにしてもよい。二次電池１４−１〜１４−ｎは、系統電力３０の電圧および電力変換部１１の昇圧率等に応じて、必要な個数が決まる。例えば、系統電力３０の電圧が２００Ｖである場合であって昇圧率が１であり、鉛蓄電池（端子電圧約２Ｖ）を使用する場合には１４０（≒２００×１．４１／２）個程度の二次電池が接続されて構成される。これらの二次電池１４−１〜１４−ｎは、例えば、棚状のラックに収容されて通信線１６によって演算部１３と接続されるが、二次電池１４−１〜１４−ｎのそれぞれのサイズも大きく、また、個数も多いので、棚状のラックは非常に大きな規模となる。
【００１９】
センサ部１５−１〜１５−ｎは、二次電池１４−１〜１４−ｎのそれぞれに隣接して設けられ、演算部１３からの指示に応じて二次電池１４−１〜１４−ｎの電圧および温度を測定し、測定によって得られた情報を、通信線１６を介して演算部１３に供給する。図４は、センサ部１５−１〜１５−ｎの詳細な構成例を示している。なお、センサ部１５−１〜１５−ｎは同様の構成とされているので、これらをセンサ部１５として説明する。センサ部１５は、図４に示すように、ＣＰＵ１５１、ＲＯＭ１５２、ＲＡＭ１５３、計時部１５４、通信部１５５、Ａ／Ｄ（Analog to Digital）変換部１５６、バス１５７、電圧センサ１５８、および、温度センサ１５９を有している。ここで、ＣＰＵ１５１、ＲＯＭ１５２、および、ＲＡＭ１５３は前述したＣＰＵ１２１、ＲＯＭ１２２、および、ＲＡＭ１２３と同様の機能を有する。計時部１５４は、時刻情報を生成して出力する。通信部１５５は、演算部１３と通信線１６によって接続され、これとの間で情報を授受する。Ａ／Ｄ変換部１５６は、ＣＰＵ１５１の制御に基づいて電圧センサ１５８および温度センサ１５９から出力されるアナログ信号をデジタル信号にＡ／Ｄ変換して出力する。電圧センサ１５８は、二次電池１４−１〜１４−ｎの端子電圧を検出して出力する。温度センサ１５９は、二次電池１４−１〜１４−ｎ自体の温度、例えば、二次電池の正極の温度またはその周辺温度を検出して出力する。
【００２０】
（Ｂ）本発明の第１実施形態の動作の説明
つぎに、第１実施形態の動作について説明する。なお、以下では、ＵＰＳ（Uninterruptible Power Supply）との動作を比較し、複数の二次電池を直列接続する場合の問題点を説明した後、本発明の第１実施形態の動作について説明する。
【００２１】
図５は、ＵＰＳと第１実施形態の動作を比較するための図である。図５の左側はＵＰＳにおける二次電池の運用状況を示し、右側は第１実施形態における二次電池群１４の運用状況を示している。ＵＰＳでは、二次電池は、ＳＯＣ（State of Charge）が１００％に近い状況で維持されており、停電が発生した場合には「ＵＰＳ動作時のみ使用する領域」で運用がなされる。一方、第１実施形態では、ＳＯＣの０％〜２０％の範囲が放電用マージンとして設定され、また、９０％〜１００％の範囲が充電用マージンとして設定され、２０％〜９０％の範囲が使用領域として設定される。すなわち、ＵＰＳでは、停電発生時以外には二次電池は放電されないためにＳＯＣが１００％に近い状態に維持されるが、第１実施形態では充電および放電が繰り返されることから、ＳＯＣが２０％〜９０％の範囲で使用される。
【００２２】
図６は、ＵＰＳの二次電池の電圧、電流、ＳＯＣ、および、ΔＳＯＣの時間的な変化を示す図である。図６の左側に示すようにＵＰＳでは、電圧、電流、および、ＳＯＣは時間的にほとんど変化しない。このため、ＳＯＣの時間的な変化を示すΔＳＯＣは時間的にほとんど変化しない。一方、第１実施形態では、充放電が繰り返されることから、図の上から２番目に示すように、二次電池群１４には充放電電流が流れ、それに応じて図の上から１番目に示すように二次電池群１４の端子電圧は変化し、また、ＳＯＣも２０％〜９０％の間で変化する。このため、図の１番下に示すように、ΔＳＯＣも時間的に変化することになる。
【００２３】
つぎに、ＯＣＶ（Open Circuit Voltage）の経時変化について説明する。図７は、二次電池群１４を構成する二次電池１４−１〜１４−ｎが鉛蓄電池である場合の充電後のＯＣＶの経時変化を示す図である。また、ＯＣＶの経時変化を示す図の下に記載されている図は二次電池内部のイオン分布を示している。この図に示すように、充電が停止されると、まず、導体抵抗分の電圧降下が支配的に生じる。つぎに、反応速度の速い極板付近でおこる電気化学反応が支配的に進行し、極板近傍でのイオンの濃度が低下を始めることから、導体抵抗分の電圧降下よりも少し緩やかな傾きで電圧が減少する。その後、遅い現象である電解液全体のイオン濃度が拡散などにより、均質化するので、緩やかな傾きで電圧が減少する。そして、充電停止から十数時間が経過すると、それぞれの反応が収束し、安定した状態になるため、ＯＣＶはそれぞれの反応が収束した結果として、全体での単位時間における電圧降下量が微小になり、安定電圧（二次電池の内部電位）と等しくなることから、数分間隔での電圧測定では、電圧測定値が一定になる。このように、鉛蓄電池は、ＯＣＶの変化が非常に緩やかに進行するが、これは鉛蓄電池の電解液である硫酸に含まれる硫酸イオンの拡散が１×１０−５［ｃｍ２／ｓｅｃ］程度であり、１ｃｍ拡散するのに約１日を要するためである。なお、鉛蓄電池以外の二次電池の候補の１つとして、リチウムイオン電池が挙げられる。リチウムイオン電池の反応速度や電解液のイオン拡散速度は鉛蓄電池より速いため、ＯＣＶ測定中の電池電圧が安定するまでの時間が短くなり、1時間程度を要する。
【００２４】
このように、二次電池１４−１〜１４−ｎのＯＣＶの変化は反応速度の速い反応と、緩やかに進行する反応が同時に進行するため、二次電池の１４−１〜１４−ｎの状態を正確に得るためには、反応速度に応じて個別に評価することを必要とする。そこで、本願発明者は、図８に示すように、ＯＣＶの電圧変化が速い領域（Ｆ＿ｆａｓｔ）と、遅い領域（Ｆ＿ｓｌｏｗ）において電圧をサンプリングし、これらの領域のデータから電池状態を推定する（例えば、特許４７０２８５９号やＷＯ２０１２／０６６６４３号）。このような方法によれば、電池の反応速度因子ごとに、電池の状態量を推定することが可能になる。
【００２５】
ところで、図９（Ａ）に示すように、ＯＣＶを測定する直前の状態が充電優位の状態である場合には、図７および図８に示すような標準的な電圧変化を示すが、図９（Ｂ）に示すように、放電優位の状態の場合には標準的な電圧変化とは異なるイレギュラな電圧変化を生じる場合がある。これについて簡単に説明すると、充電後と放電後のＯＣＶの経時変化（ＯＣＶ（ｔ））は、図１０のようになる。すなわち、充電後には図の上に示すように下に凸形状を有する充電後電圧曲線を示し、放電後には図の下に示すように上に凸形状を有する放電後電圧曲線を示す。なお、図１０では、図面を簡略化するために、充電後と放電後の電圧変化曲線は略同じとしているが、実際にはこれらは異なる曲線を有している。
【００２６】
図１１に示すように、ＯＣＶを測定する直前の状態が充電であっても、それよりも前に放電の状態が存在する場合には、電圧変化には放電の影響も反映されることから、なだらかな変化ではなく、図１１に示すように局部的な凹部が生じる変化となる。したがって、正確な安定電圧を測定するためには、直前の充放電状態のみならず、それよりも一定期間前の充放電状態についても留意する必要がある。
【００２７】
また、第１実施形態では、二次電池群１４は、複数の二次電池１４−１〜１４−ｎが直列接続されて構成されているので、例えば、５つの二次電池１〜５が直列接続されている場合、各二次電池の電圧変化は、図１２に示すように、異なる特性を示す。より詳細には、図１２では二次電池３が最も劣化が進んでおり、二次電池５がつぎに劣化が進んでおり、二次電池１，２，４が続いて劣化が進んだ状態となっている。このように複数の二次電池の電圧変化を測定して状態を推定する場合、複数の二次電池の測定タイミングを同期する必要がある。例えば、測定開始タイミングが二次電池間で異なる場合、ある二次電池では測定開始タイミングが図１２に示すｔ１である一方で、他の二次電池では測定開始タイミングがｔ２（ｔ２＞ｔ１）である場合が生じる。そのような場合には、測定開始時の電圧が異なることから、正確な電圧を推測できなくなってしまう。特に、充電停止直後の電圧変化は急激であることから、少しの時間的なずれが大きな誤差を生じてしまう。そこで、第１実施形態では、測定開始タイミングが二次電池１４−１〜１４−ｎの間で同期するように制御を行うとともに、サンプリングタイミングも同期するように制御がなされる。
【００２８】
つぎに、第１実施形態の動作について説明する。以下では、動作の概略について説明した後に、図１５〜図１７のフローチャートを参照して詳細な動作について説明する。まず、概略動作について説明する。二次電池群１４の劣化を判定する場合、まず、制御部１２は、演算部１３に対して二次電池群１４の測定を行うように要求する。なお、この要求は、制御部１２のＲＡＭ１２３に対して、測定予定日時を装置の使用者が予め入力しておき、ＣＰＵ１２１が計時部１２４と、ＲＡＭ１２３に記憶された測定予定日時とが一致した場合に要求を行うようにすることができる。また、予め設定するのではなく、測定を行うと使用者が判断し、図示しない操作部を操作することにより、要求を行うようにしてもよい。
【００２９】
制御部１２のＣＰＵ１２１は、まず、電力変換部１１に対して、充電を行うように指示する。電力変換部１１は、系統電力３０からの交流電力を直流電力に変換し、二次電池群１４に供給して充電する。なお、電力変換部１１は、例えば、二次電池群１４に供給される電流を累積加算することで、二次電池群１４を構成する二次電池１４−１〜１４−ｎのＳＯＣを検出し、例えば、ＳＯＣが８５％以上になるまで充電を行う。ここで、ＳＯＣが８５％以上になるまで充電を行う理由について説明する。図１３は、二次電池の充電容量（ＳＯＣ）と、電池電圧との関係を電池の種類毎に示している。曲線Ｃ１は、Ｎｉ，Ｃｏ系リチウムイオン電池の特性を示し、曲線Ｃ２はリン酸系鉄系リチウムイオン電池の特性を示し、曲線Ｃ３は鉛蓄電池の特性を示している。これらの曲線Ｃ１〜Ｃ３に示すように、どの曲線も８５％を超えると、電圧の上昇量が増え、充電量に対して充電電圧が急激に増える（曲線の傾きが急に大きくなる）。この領域では、電池の不可逆反応が発生することから、二次電池の寿命も短縮する。このため、一般的には、８５％以上を判断の基準値とすることが望ましい。
【００３０】
なお、例えば、二次電池１４−１〜１４−ｎが鉛蓄電池の場合、８５％以上の具体的な数字としては、例えば、１００％とすることができる。また、鉛蓄電池の場合、ＳＯＣが１００％に到達後、さらにΔＳＯＣで５％相当の充電処理を継続して実行することが望ましい。また、リチウムイオン電池の場合には、ＳＯＣが８０〜１００％の予め設定された値（具体的には前述した８５％）になるように充電処理を実行する。このような動作により、ＯＣＶ測定直前の状態を充電優位の状態にすることで、図９（Ｂ）に示すように、イレギュラな電圧変化が生じることを防止できる。また、過充電への耐性が高い鉛蓄電池の場合には、ＳＯＣ＝１００％相当の充電量を超えて、さらに継続して充電を行うことで、二次電池間のＳＯＣの不均衡を是正することができるとともに、鉛蓄電池の極板上の硫酸鉛を減少させ、現状の電池の劣化因子を低減し、電池における回復不能な劣化状態をより正確に推定することが可能になる。
【００３１】
より具体的な充電方法としては、二次電池の充電時における充放電可能容量の増加と充電時電圧の増加の関係において、充電可能容量の増量に対して充電時電圧の増加量の増加傾向が現れるまで充電を実施する。例えば、二次電池群１４が鉛蓄電池の場合には、１セル当たり２．４Ｖまで定電流（Constant Current）で充電し、該当電圧に到達した後は、定電圧（Constant Voltage）充電に切り換えて充電を継続し、充電電流が０．０２ＣＡ程度まで減少するか、５時間が経過するか、あるいは、定電圧充電に切り換えた後の電流積算値（電流×時間)が定格容量［Ａｈ］の５％相当になった時点で充電を停止する。なお、これ以外にも、例えば、定電流充電中の充電電流を多段階で変更するようにしても良い。
【００３２】
また、例えば、燐酸鉄系のリチウムイオン電池を満充電にするための条件としては、例えば、Ｃレート換算で０．３〜１．０ＣＡ相当の電流で３．６Ｖまで定電流充電を実施し、３．６Ｖに到達後は定電圧充電を０．０５ＣＡになるまで実施することとすることができる。但し、これは満充電を行うための充電制御の一例であり、この満充電条件に限定されるものではない。なお、Ｃレートは、１時間で全容量が放電される放電電流に相当する。
【００３３】
電力変換部１１による充電が完了すると、制御部１２は、電力変換部１１に対して充電終了を指示するとともに、演算部１３に対して測定開始を指示する。この結果、電力変換部１１から二次電池群１４への電力の供給が停止される。また、演算部１３のＣＰＵ１３１は、制御部１２から充電終了の指示を受信した場合には、計時部１３４の出力信号を参照し、一定の時間が経過したか否かを判定する。そして、充電終了から一定の時間が経過し、測定開始タイミングになった場合には、通信線１６を介してすべてのセンサ部１５−１〜１５−ｎに対して測定開始信号を同時に送信する。なお、測定開始信号を同時に送信する方法としては、例えば、多点同時通信によって送信することができる。
【００３４】
センサ部１５−１〜１５−ｎのＣＰＵ１５１は、通信部１５５を介して測定開始信号を受信する。ＣＰＵ１５１は、測定開始信号を受信すると、サンプリングタイミングになったか否かを判定し、サンプリングタイミングになった場合には、Ａ／Ｄ変換部１５６に対して、Ａ／Ｄ変換を行うように指示する。なお、サンプリングタイミングか否かを判定する方法としては、例えば、測定開始信号を受信してから所定の時間が経過した場合にサンプリングタイミングであると判定したり、あるいは、演算部１３が所定の時刻を測定開始時刻としてこれをセンサ部１５−１〜１５−ｎに一斉に通知し、ＣＰＵ１５１が、計時部１５４が出力する時刻が、受信した測定開始時刻と一致した場合に、サンプリングタイミングと判定したりしてもよい。あるいは、測定開始信号の代わりに、同期信号を定期的に送信し、この同期信号によって動作の同期を図るようにしてもよい。
【００３５】
センサ部１５−１〜１５−ｎは、演算部１３からの測定開始信号に基づいて二次電池１４−１〜１４−ｎの端子電圧および温度を電圧センサ１５８および温度センサ１５９によって測定し、Ａ／Ｄ変換部１５６によってＡ／Ｄ変換した後、ＲＡＭ１５３に測定データとして格納する。同様の動作は、センサ部１５−１〜１５−ｎの全てにおいて実行される。このようにして、測定された端子電圧および温度のデータは、センサ部１５−１〜１５−ｎ毎に演算部１３に送信される。全てのデータの転送が終了すると、演算部１３は、サンプリング周期に対応する所定の期間待機した後、再度、測定開始信号を全てのセンサ部１５−１〜１５−ｎに送信する。図１４は、演算部１３と１５−１〜１５−ｎの動作を説明するための図である。図１４では、タイミングｔ１において演算部１３から全てのセンサ部１５−１〜１５−ｎに対して測定開始信号が送信される。そして、この測定開始信号を受信したセンサ部１５−１〜１５−ｎは、タイミングｔ２で同期して二次電池１４−１〜１４−ｎのそれぞれの端子電圧および温度をサンプリングする。そして、サンプリングによって測定されたデータは、センサ部１５−１〜１５−ｎの順に演算部１３に対して送信される。同様の処理は、タイミングｔ３，ｔ４およびタイミングｔ５，ｔ６でも繰り返される。なお、測定開始信号が送信される周期は、例えば、τとされるが、測定開始信号が送信されてから一定のタイミングの後に測定が開始されるため、この周期τはサンプリング周期となる。
【００３６】
以上の動作は、所定の時間繰り返し実行される。そして、必要なデータが得られると、演算部１３は、センサ部１５−１〜１５−ｎに対して要求を行う処理を終了する。つぎに、演算部１３は、得られたデータを参照し、二次電池１４−１〜１４−ｎのそれぞれの電圧変化に基づいて、二次電池１４−１〜１４−ｎの劣化状態を推定する。なお、劣化状態を推定する方法としては、例えば、電圧の経時変化の基準電圧からの変化量（ΔV（ｔ））を予め反応速度ごとに作成された参照関数を元に、反応速度成分の参照合成関数をΔV（ｔ）に対してフィッティングを行い、合成関数を構成する成分となるフィッティング関数と、予め作成された反応速度ごとの参照関数と比較して評価することにより、電池の状態を推定する。このとき、反応速度ごとの複数の領域毎に電圧の積分値を求め、この積分値に基づいて状態を推定したりしても良い。なお、二次電池１４−１〜１４−ｎの特性は温度によって変化することから、温度によって推定結果を補正するようにしてもよい。
【００３７】
つぎに、演算部１３は、二次電池１４−１〜１４−ｎの推定された劣化状態を制御部１２に送信する。制御部１２は、受信した劣化状態に基づいて、二次電池１４−１〜１４−ｎの劣化状態を提示部１２６に提示する。このようにして提示された情報を確認することで、使用者は、二次電池１４−１〜１４−ｎのそれぞれの状態を知ることができるとともに、交換が必要な二次電池が存在するか否かについても知ることができる。
【００３８】
以上に説明したように、本発明の第１実施形態によれば、直列接続された複数の二次電池１４−１〜１４−ｎに対してセンサ部１５−１〜１５−ｎを設け、演算部１３から送信される測定開始信号に基づいて端子電圧および温度を測定し、測定されたデータに基づいて二次電池１４−１〜１４−ｎの状態を推定するようにしたので、複数の二次電池の状態を確実に推定することができる。
【００３９】
また、複数のセンサ部１５−１〜１５−ｎが、演算部１３からの測定開始信号に同期して、二次電池１４−１〜１４−ｎの端子電圧および温度を測定するようにしたので、全ての二次電池１４−１〜１４−ｎが同じタイミングで測定される。これにより、全ての二次電池１４−１〜１４−ｎを同じ条件で測定することができることから、状態を正確に比較することができる。また、センサ部１５−１〜１５−ｎから演算部１３に対して、測定したデータを逐次送信するようにしたので、通信部１３５，１５５の通信能力があまり高くないものを使用することができる。
【００４０】
つぎに、図１５〜図１７を参照して、第１実施形態の詳細な動作について説明する。まず、図１５は、制御部１２において実行される処理の流れを説明するための図である。この図１５の処理が開始されると、以下のステップが実行される。
【００４１】
ステップＳ１０では、制御部１２のＣＰＵ１２１は、メンテナンス計画を設定する。具体的には、使用者からの指示に基づいて、メンテナンスを実行する日時情報の入力を受け、入力された日時情報をＲＡＭ１２３に格納する。なお、メンテナンスを実行する日時としては、例えば、電力貯蔵装置１０が使用されていない日時（例えば、日曜日の１２：００等）に設定される。
【００４２】
ステップＳ１１では、制御部１２のＣＰＵ１２１は、設定された日時になったか否かを判定し、設定した日時になったと判定した場合（ステップＳ１１：Ｙｅｓ）にはステップＳ１２に進み、それ以外の場合（ステップＳ１１：Ｎｏ）には同様の処理を繰り返す。より詳細には、ＣＰＵ１２１は、計時部１２４から供給される現在の日時情報と、ＲＡＭ１２３に記憶されている日時情報を比較し、これらが同じになった場合には設定した日時になったと判定してステップＳ１２に進む。
【００４３】
ステップＳ１２では、制御部１２のＣＰＵ１２１は、電力変換部１１に制御信号を送り、充電処理を実行させる。この結果、電力変換部１１は、系統電力３０から供給される交流電力を直流電力に変換し、二次電池群１４を構成する二次電池１４−１〜１４−ｎを充電する。なお、充電の方法としては、一定期間は電流一定（ＣＣ:Constant Current）充電を行い、続いて、電圧一定（ＣＶ:Constant Voltage）充電を行うことができる。これは充電方法の一例であり、充電電流を多段階に設定して充電を実施しても良い。また、充電停止条件として、ＳＯＣ＝１００％相当からの電流積算値の増分量で決定しても良いし、低電圧充電中の充電時間や電流値を、閾値を元に決定してもよい。
【００４４】
ステップＳ１３では、制御部１２のＣＰＵ１２１は、二次電池１４−１〜１４−ｎが満充電の状態になったか否かを判定し、満充電の状態になった場合（ステップＳ１３：Ｙｅｓ）にはステップＳ１４に進み、それ以外の場合（ステップＳ１３：Ｎｏ）には、ステップＳ１２に戻って同様の処理を繰り返す。なお、満充電の基準としては、一般的には、ＳＯＣが８５％以上と定義することができ、また、個別的には、例えば、二次電池１４−１〜１４−ｎが鉛蓄電池の場合には、電池の使用可能総容量をＳＯＣ１００％に換算したとき、ＳＯＣの１０５％となるように充電を実行する。また、リチウムイオン電池の場合には、電池の使用可能総容量に対して、８０〜１００％の予め設定した値（例えば、８５％）となるように充電を実行する。なお、使用可能総容量とは、新品の電池である場合には、使用可能総容量と電池の定格容量が等しいが、劣化が進むと、使用可能容量が低下し、新品定格容量と変化するため、電池の使用可能総容量の変化に応じて、満充電相当の充電量を変えることが望ましい。
【００４５】
ステップＳ１４では、制御部１２のＣＰＵ１２１は、電力変換部１１に対して動作を停止させるための電力変換部停止信号を出力する。これにより、電力変換部１１は、二次電池１４−１〜１４−ｎに対する充電処理を終了するとともに、一定期間その動作を停止する。
【００４６】
ステップＳ１５では、制御部１２のＣＰＵ１２１は、演算部１３に対して測定開始を要求する。この結果、演算部１３では、後述する図１６の処理が実行される。
【００４７】
ステップＳ１６では、制御部１２のＣＰＵ１２１は、演算部１３による測定が終了したか否かを判定し、測定が終了したと判定した場合（ステップＳ１６：Ｙｅｓ）にはステップＳ１７に進み、それ以外の場合（ステップＳ１６：Ｎｏ）には同様の処理を繰り返す。例えば、演算部１３からの通知によって、測定が終了したことが判明した場合には、Ｙｅｓと判定してステップＳ１７の処理に進む。
【００４８】
ステップＳ１７では、制御部１２のＣＰＵ１２１は、演算部１３から二次電池１４−１〜１４−ｎの状態の判定結果を受信する。より詳細には、演算部１３は、後述する処理によって二次電池１４−１〜１４−ｎの劣化状態を判定するので、制御部１２のＣＰＵ１２１は、この劣化状態を判定結果として受信する。
【００４９】
ステップＳ１８では、制御部１２のＣＰＵ１２１は、交換対象となる二次電池が存在するか否かを判定し、交換対象となる二次電池が存在すると判定した場合（ステップＳ１８：Ｙｅｓ）にはステップＳ１９に進み、それ以外の場合（ステップＳ１８：Ｎｏ）には処理を終了する。より詳細には、ステップＳ１７で受信した判定結果を参照し、劣化状態が所定の閾値を超えていると判定される二次電池が存在する場合にはステップＳ１９に進む。
【００５０】
ステップＳ１８では、制御部１２のＣＰＵ１２１は、交換対象となる二次電池を提示部１２６に提示する。より詳細には、二次電池１４−１〜１４−ｎの中で、交換対象となる二次電池が存在する場合には、その二次電池に付与された識別番号、および、設置場所を示す情報を提示部１２６に提示する。これにより、使用者は、交換の必要がある二次電池を特定することができる。
【００５１】
つぎに、図１６を参照して、演算部１３において実行される処理について説明する。図１６の処理が開始されると、以下のステップが実行される。
【００５２】
ステップＳ３０では、演算部１３のＣＰＵ１３１は、制御部１２から測定開始が要求された否かを判定し、測定開始が要求された場合（ステップＳ３０：Ｙｅｓ）にはステップＳ３１に進み、それ以外の場合（ステップＳ３０：Ｎｏ）には同様の処理を繰り返す。より詳細には、図１５のステップＳ１５の処理による要求を受信した場合にはステップＳ３１に進む。
【００５３】
ステップＳ３１では、演算部１３のＣＰＵ１３１は、計時部１３４を参照し、測定開始タイミングになったか否かを判定し、測定開始タイミングになったと判定した場合（ステップＳ３１：Ｙｅｓ）にはステップＳ３２に進み、それ以外の場合（ステップＳ３１：Ｎｏ）にはステップＳ３２に進む。より詳細には、例えば、１回目の測定の場合には測定開始の要求を受信してから、予め定められている一定の時間が経過した場合には測定開始タイミングであるとしてステップＳ３２に進み、２回目以降の測定の場合には前回の測定からサンプリング周期に対応する一定の時間（＝τ）が経過したか否かを判定し、一定の時間が経過した場合には測定開始タイミングであるとしてステップＳ３２に進む。なお、測定開始タイミングを時刻情報として保持し、時刻情報と計時部１３４が出力する時刻情報を比較し、これらが一致する場合に測定開始タイミングと判定するようにしてもよい。
【００５４】
ステップＳ３２では、演算部１３のＣＰＵ１３１は、全てのセンサ部１５−１〜１５−ｎに対して、通信線１６を介して測定開始信号を送信する。なお、測定開始信号は、センサ部１５−１〜１５−ｎの全てに対して同時に受信される。
【００５５】
ステップＳ３３では、演算部１３のＣＰＵ１３１は、センサ部１５−１〜１５−ｎから測定結果のデータを受信する。より詳細には、センサ部１５−１〜１５−ｎは、予め定められた順番または測定が終了した順番に測定結果のデータを送信するので、演算部１３は、要求を行ったセンサ部毎に測定結果のデータを受信する。
【００５６】
ステップＳ３４では、演算部１３のＣＰＵ１３１は、計時部１３４を参照して測定開始信号を送信してから所定の時間が経過したか否かを判定し、所定の時間が経過したと判定した場合（ステップＳ３４：Ｙｅｓ）にはステップＳ３６に進み、それ以外の場合（ステップＳ３４：Ｎｏ）にはステップＳ３５に進む。より詳細には、センサ部１５−１〜１５−ｎの全てから測定結果データを受信してない場合であっても、次の測定に間に合わない事態は回避しなくてはならないため、サンプリング周期τよりも短い所定の時間τ０（τ０＜τ）が経過した場合にはステップＳ３５に進む。
【００５７】
ステップＳ３５では、演算部１３のＣＰＵ１３１は、全てのセンサ部１５−１〜１５−ｎから測定結果データを受信したか否かを判定し、全てのセンサ部１５−１〜１５−ｎから測定結果データを受信したと判定した場合（ステップＳ３５：Ｙｅｓ）にはステップＳ３６に進み、それ以外の場合（ステップＳ３５：Ｎｏ）にはステップＳ３７に進む。
【００５８】
ステップＳ３６では、演算部１３のＣＰＵ１３１は、測定を終了するか否かを判定し、測定を終了すると判定した場合（ステップＳ３６：Ｙｅｓ）にはステップＳ３７に進み、それ以外の場合（ステップＳ３５：Ｎｏ）にはステップＳ３１に戻って前述の場合と同様の処理を繰り返す。より詳細には、二次電池の状態を判定するための測定が全て終了した場合にはステップＳ３７に進む。
【００５９】
ステップＳ３７では、演算部１３のＣＰＵ１３１は、上述した処理によってセンサ部１５−１〜１５−ｎから受信した、二次電池１４−１〜１４−ｎの端子電圧および温度の測定データに基づいて、二次電池１４−１〜１４−ｎのそれぞれの劣化状態を判定する処理を実行する。
【００６０】
ステップＳ３７では、演算部１３のＣＰＵ１３１は、ステップＳ３７の処理によって得られた二次電池１４−１〜１４−ｎのそれぞれの劣化状態の判定結果を示す情報を制御部１２に対して送信する。
【００６１】
つぎに、図１７を参照して、センサ部１５−１〜１５−ｎにおいて実行される処理について説明する。なお、センサ部１５−１〜１５−ｎにおいて実行される処理は同様であるので、以下では、これらをセンサ部１５として説明する。図１７の処理が開始されると、以下のステップが実行される。
【００６２】
ステップＳ５０では、センサ部１５のＣＰＵ１５１は、測定開始信号を受信したか否かを判定し、測定開始信号を受信したと判定した場合（ステップＳ５０：Ｙｅｓ）にはステップＳ５１に進み、それ以外の場合（ステップＳ５０：Ｎｏ）には同様の処理を繰り返す。より詳細には、図１６に示すステップＳ３２の処理によって送信された測定開始信号を受信した場合にはステップＳ５１に進む。
【００６３】
ステップＳ５１では、センサ部１５のＣＰＵ１５１は、計時部１５４の出力を参照し、サンプリングタイミングになったか否かを判定し、サンプリングタイミングになったと判定した場合（ステップＳ５１：Ｙｅｓ）にはステップＳ５２に進み、それ以外の場合（ステップＳ５１：Ｎｏ）には同様の処理を繰り返す。より詳細には、センサ部１５−１〜１５−ｎの全てにおいて同期して測定を行うために、例えば、測定開始信号を受信してから所定の時間が経過した場合にはサンプリングタイミングであると判定してステップＳ５２に進むことができる。なお、これ以外にも、測定を開始する時刻を定めて演算部１３からセンサ部１５−１〜１５−ｎに送信し、この定められた時刻になった場合にはサンプリングタイミングになったと判定してステップＳ５２に進むことができる。
【００６４】
ステップＳ５２では、センサ部１５のＣＰＵ１５１は、電圧センサ１５８および温度センサ１５９の出力を取得する。なお、温度変化は端子電圧の変化に比較すると緩慢であるため、タイミングが若干ずれても、取得されるデータの誤差は少ない。このため、温度センサ１５９よりも、電圧センサ１５８の出力を優先して取得することができる。なお、取得された。結果のデータは、ＲＡＭ１５３に保管される。
【００６５】
ステップＳ５３では、センサ部１５のＣＰＵ１５１は、計時部１５４の出力を参照し、測定結果データを送信する送信タイミングになったか否かを判定し、送信タイミングになったと判定した場合（ステップＳ５２：Ｙｅｓ）にはステップＳ５４に進み、それ以外の場合（ステップＳ５２：Ｎｏ）には同様の処理を繰り返す。具体的には、例えば、センサ部１５−１〜１５−ｎの順番に送る場合には、測定開始信号を受信してから、センサ部毎に予め定められた一定の時間が経過した場合に、送信タイミングと判定することができる。
【００６６】
ステップＳ５４では、センサ部１５の通信部１５５は、測定結果データを、演算部１３に対して送信する。より詳細には、センサ部１５の通信部１５５は、演算部１３の通信部１３５に対してデータの送信要求を行い、この要求が受け付けられた場合には、ＲＡＭ１５３に格納されている測定結果データを取得し、通信線１６を介して演算部１３の通信部１３５に送信する。
【００６７】
ステップＳ５５では、センサ部１５のＣＰＵ１５１は、全ての測定が終了したか否かを判定し、終了していないと判定した場合（ステップＳ５５：Ｎｏ）にはステップＳ５０に戻って前述の場合と同様の処理を繰り返し、それ以外の場合（ステップＳ５２：Ｙｅｓ）には処理を終了する。なお、演算部１３から測定の終了を示す信号を受信した場合に、全ての測定が終了したと判定するようにしてもよい。
【００６８】
以上の処理によれば、センサ部１５−１〜１５−ｎに対して同期して測定を実行させることが可能になるとともに、二次電池１４−１〜１４−ｎの劣化状態を個別に知ることが可能になる。
【００６９】
（Ｃ）本発明の第２実施形態の構成の説明
つぎに、本発明の第２実施形態について説明する。図１８は、本発明の第２実施形態の構成例を示す図である。なお、図１８において、図１と対応する部分には同一の符号を付してその説明を省略する。図１８では、図１と比較すると、スイッチ２０が追加されている。これ以外の構成は図１の場合と同様である。スイッチ２０は、例えば、電磁式リレーや半導体スイッチによって構成され、電力変換部１１と二次電池群１４との間に挿入され、制御部１２によって制御される。制御部１２が、スイッチ２０をオフの状態にすることで、二次電池群１４を電力変換部１１から所望のタイミングで切り離すことができる。
【００７０】
（Ｄ）動作本発明の第２実施形態の動作の説明
つぎに、第２実施形態の動作について説明する。第２実施形態では、通常の動作時には、制御部１２は、スイッチ２０をオンの状態にする。この結果、電力変換部１１と二次電池群１４とが接続され、これらの間で電力の授受が可能になる。一方、二次電池群１４の劣化状態を判定する場合、制御部１２は、図１５のステップＳ１４において、電力変換部１１を停止する信号を出力した後、所望のタイミングで、スイッチ２０をオフの状態に制御する。このような制御により、電力変換部１１から二次電池群１４に供給される充電電流を所望のタイミングでオフの状態にすることができる。より詳細には、電力変換部１１に対して停止信号を送信した場合、電力変換部１１では、停止するまでの間に、例えば、スイッチング用の半導体を保護するための処理等を実行するため、動作状態に応じた所定の時間が停止までに必要になる。このため、制御部１２から電力変換部１１に停止信号を送信してから、電力変換部１１が実際に検出するまでには一定の時間を要し、この一定の時間は電力変換部１１の動作状態や機種等によって異なる。しかしながら、スイッチ２０をオフの状態にすることで、所望のタイミングで充電電流を遮断することが可能になる。
【００７１】
以上に説明したように、本発明の第２実施形態では、電力変換部１１と二次電池群１４の間にスイッチ２０を設け、このスイッチ２０を、制御部１２によって制御するようにしたので、電力変換部１１から二次電池群１４に供給される充電電流を、所望のタイミングで遮断することが可能になる。これにより、測定の開始タイミングを正確に設定することができるため、例えば、充電電流の遮断から、所定時間経過後に、測定を開始する必要があるような場合に好適である。
【００７２】
（Ｆ）変形実施形態の説明
以上の実施形態は一例であって、本発明が上述したような場合のみに限定されるものでないことはいうまでもない。例えば、以上の各実施形態では、メンテナンス計画に基づいて、二次電池群１４の劣化状態を検出するようにしたが、例えば、使用者からの直接の指示に基づいて実行したり、過去の動作状況に基づいて、充放電の発生頻度が低い時間帯を自動的に見つけて実行したりするようにしてもよい。
【００７３】
また、以上の各実施形態では、二次電池群１４の状態を測定する前に、二次電池群１４を満充電するようにしたが、例えば、二次電池群１４のＳＯＣが数％〜数十％増加するように制御してもよい。あるいは、測定直前の１〜数時間の充放電履歴が充電優位となるように充電制御するようにしてもよい。なお、充電を積極的に行うのではなく、測定直前の１〜数時間の充放電履歴が充電優位となるタイミングを検出して、そのタイミングで二次電池群１４の状態を検出するようにしてもよい。充放電履歴が充電優位となったか否かの判定方法としては、測定直前の１〜数時間の充電量が、放電量を所定量上回ったか否かを判定することで実現できる。具体的には、例えば、シール式鉛蓄電池の場合、電解液の拡散に伴う電圧変化の要因が収束するのは少なくとも３時間程度必要であることから、過去３時間程度の充放電履歴をデータとして保存し、判断することが望ましい。例えば、リン酸鉄系リチウムイオン電池の場合、電解液の拡散に伴う電圧変化の要因が収束するために３０分程度必要であるので、過去３０分の充放電履歴をデータとして保存しておくことが望ましい。あるいは、特開２０１２−２２５７４０号公報に記載のあるような充放電履歴を判定する方法を用いて、現在の充放電履歴を判定しても良い。
【００７４】
また、以上の第２実施形態では、電力変換部１１に停止信号を出力してからスイッチ２０をオフの状態にするようにしたが、スイッチ２０をオフの状態にした後に電力変換部１１に停止信号を出力するようにしてもよい。
【００７５】
また、以上の各実施形態では、全てのセンサ部１５−１〜１５−ｎに対して一括して測定開始信号を送信するようにしたが、個別に測定開始信号を送信した後、同期して測定を行うようにしてもよい。例えば、センサ部１５−１〜１５−ｎに個別に、測定開始時刻を送信し、当該測定開始時刻になった場合に、同期して測定を開始してもよい。また、センサ部１５−１〜１５−ｎの全てが測定を行うのではなく、これらの一部が測定を行うようにしてもよい。
【００７６】
また、以上の各実施形態では、センサ部１５−１〜１５−ｎでは、１回の測定に対して電圧センサ１５８および温度センサ１５９の出力を１回取得するようにしたが、１回の測定に対して複数回出力を取得し、これら複数回の出力の平均値を求めて演算部１３に送るようにしてもよい。
【００７７】
また、以上の各実施形態では、測定結果データは、予め定められた順番（センサ部１５−１〜１５−ｎの順番）で演算部１３に送信するようにしたが、例えば、これ以外の順番で送信したり、あるいは、先着順で送信したりするようにしてもよい。
【００７８】
また、以上の各実施形態では、センサ部１５−１〜１５−ｎは、１回の測定毎に測定データを演算部１３に送信するようにしたが、例えば、複数回分の測定データをまとめて送信するようにしてもよい。例えば、１０回分の測定データをまとめて転送するようにしてもよい。その場合、センサ部１５−１〜１５−ｎの全てのデータを１回のサンプリング期間内に全て送信するのではなく、複数回のサンプリング期間に分散して送信することもできる。
【００７９】
また、以上の各実施形態では、１つの二次電池に対して１つのセンサ部を設けるようにしたが、複数の二次電池に対して１つのセンサ部を設けるようにしてもよい。例えば、直列接続された複数の二次電池に対して１つのセンサ部を設けることができる。あるいは、二次電池が複数並列接続されている場合には、これら並列接続された複数の二次電池に対して１つのセンサ部を設けることができる。また、複数の二次電池が並列接続されている場合には、これら複数の二次電池に対して１つのセンサ部を設けるとともに、任意の１つの二次電池を選択する手段（例えば、スイッチ）を設け、目的となる二次電池を選択してセンサ部を接続するようにしてもよい。このような構成によれば、並列接続された複数の二次電池のそれぞれの状態を検出することができる。
【００８０】
また、以上の各実施形態では、電源貯蔵装置１０は、負荷５０に対して電力を供給するようにしたが、負荷５０を設けないで、系統電力３０にのみ接続され、例えば、太陽光発電による系統電力への供給（例えば、売電）に使用するようにしてもよい。
【００８１】
また、以上の各実施形態では、演算部１３が測定開始信号を送信するようにしたが、これ以外の部位が測定開始信号を送信するようにしてもよい。例えば、制御部１２が測定開始信号を送信するようにしてもよい。
【符号の説明】
【００８２】
１０  電力貯蔵装置
１１  電力変換部
１２  制御部
１３  演算部
１４  二次電池群
１４−１〜１４−ｎ  二次電池
１５−１〜１５−ｎ  センサ部
１６  通信線
３０  系統電力
５０  負荷
【図１】
2015068783.tif 000003
【図２】
2015068783.tif 000004
【図３】
2015068783.tif 000005
【図４】
2015068783.tif 000006
【図５】
2015068783.tif 000007
【図６】
2015068783.tif 000008
【図７】
2015068783.tif 000009
【図８】
2015068783.tif 000010
【図９】
2015068783.tif 000011
【図１０】
2015068783.tif 000012
【図１１】
2015068783.tif 000013
【図１２】
2015068783.tif 000014
【図１３】
2015068783.tif 000015
【図１４】
2015068783.tif 000016
【図１５】
2015068783.tif 000017
【図１６】
2015068783.tif 000018
【図１７】
2015068783.tif 000019
【図１８】
2015068783.tif 000020
【図１９】
2015068783.tif 000021